(57)【要約】      （修正有）【課題】集塵装置の形成に係る材料の使用量の抑制と集塵装置の大型化の抑制とを図ることが可能な電気掃除機を提供する。【解決手段】電気掃除機は底部開口面２２ｂを有する断面円形の筒状に形成され本体部に対して着脱自在な集塵容器２２と、集塵容器２２の底部開口面２２ｂに対して開閉自在に設けられた蓋部５０と、集塵容器２２と蓋部５０とを連結するために集塵容器２２の外周面に設けられたヒンジ部６０と、ヒンジ部６０に設けられて開閉する蓋部５０の回転中心となる軸部と、軸部を保持するために集塵容器２２の外周面に取り付けられた保持部材６３と、を備え、保持部材６３がネジ６４ａと、保持部材６３と集塵容器２２とに設けられた爪部及びその係止孔からなる係止部６５と、を用いて集塵容器２２の外周面に取り付けられている。【選択図】図４
2020032244.tif 000002
【特許請求の範囲】
【請求項１】
電動送風機を内蔵した本体部と、
筒状に形成され、前記本体部に対して着脱自在な集塵容器と、
前記集塵容器の一端側の開口面に対して開閉自在に設けられた蓋部と、
前記集塵容器内に配置され、前記集塵容器の前記開口面から突出した突出部と、を備え、
前記突出部は、前記蓋部が前記集塵容器の前記開口面を閉じている状態において、先端部が前記蓋部と接触する、
電気掃除機。
【請求項２】
前記先端部は、前記突出部における前記先端部と反対側の基端部と比べて細い、
請求項１に記載の電気掃除機。
【請求項３】
前記蓋部は、前記突出部の前記先端部と嵌合する嵌合部を有する、
請求項１又は２に記載の電気掃除機。
【請求項４】
前記集塵容器の外周面に前記集塵容器と前記蓋部とを連結する保持部材と、
前記蓋部を前記集塵容器の前記開口面に対して閉鎖状態に維持するために前記蓋部と係合する係合部と、
前記蓋部との係合状態を解除するロック解除ボタンと、を更に備え、
前記集塵容器は、前記集塵容器の外周面にて前記保持部材と係止する係止部と、前記保持部材をネジで固定するための締結部と、を有し、
前記係止部は、前記締結部よりも前記蓋部に近い側に設けられ、
前記保持部材は、前記係止部と前記締結部とを用いて前記集塵容器の外周面に取り付けられ、
前記ロック解除ボタンを操作すると、前記係合部は前記蓋部との係合を解除する方向に変位し係合が解除された状態で、蓋部が押し下げられ下方に開放される、
請求項１〜３のいずれか１項に記載の電気掃除機。
【発明の詳細な説明】
【技術分野】
【０００１】
本発明は、捕集した塵埃を廃棄するための蓋部を有する集塵容器を備えた電気掃除機に関する。
【背景技術】
【０００２】
近年、吸い込んだ空気を集塵容器内で旋回させることにより遠心力で比較的大きい塵埃を分離させ、集塵容器の底部に堆積させるサイクロン式の集塵装置を備えた電気掃除機が広く普及し、それに係る従来技術が特許文献１及び２に開示されている。
【０００３】
特許文献１及び２に記載された電気掃除機は電動送風機を内蔵した本体部を備えている。被掃除面に対向する吸込口体には延長パイプが接続され、本体部に設けられた接続口と延長パイプとが可撓性の接続ホースによって接続されている。本体部内には電動送風機の前方にサイクロン式の集塵装置が配置されている。
【０００４】
集塵装置は上面及び底面に開口面を有する断面円形の筒状に形成された着脱自在の集塵容器を備えている。集塵容器の上部の周面には接続口に連通して接続口からの空気を周接線方向に流入させる流入口が設けられている。集塵容器内では流入口から流入する空気によって旋回気流が形成される。
【０００５】
集塵容器内には周面に気流の流出口を開口した内筒が同軸に配されている。内筒には集塵容器の内面との間に気流路を形成して集塵容器内を上下に仕切る仕切部材が取り付けられている。内筒の上方には集塵容器の上面の開口面を覆う平面視円形のフィルターが配置されている。フィルターの気流下流側は電動送風機に連通している。
【０００６】
上記構成の電気掃除機において、電動送風機の駆動によって吸込口体から被掃除面上の塵埃が空気とともに吸い込まれる。吸込口体から吸い込まれた空気は延長パイプ及び接続ホースを介して流入口から集塵装置の集塵容器内に流入する。集塵容器に流入した空気は集塵容器内で旋回し、遠心力によって大きい塵埃が分離されて集塵容器の底部に堆積する。
【０００７】
大きい塵埃が除去された気流は流出口を介して内筒内を流通し、フィルターによって細かい塵埃が捕集される。細かい塵埃が除去された気流は集塵装置から流出する。集塵装置から流出した空気は電動送風機を通過して外部に排気される。これにより、被掃除面の掃除を行うことができる。
【０００８】
集塵容器の底面の開口面の箇所には蓋部が備えられている。蓋部は集塵容器の底面の開口面に対して開閉自在に設けられている。集塵装置から集塵容器を取り外し、蓋部を開放することにより集塵容器に堆積した塵埃を廃棄することができる。蓋部はロック解除ボタンの操作によって下方に開放され、その開放とともに集塵容器内の塵埃が落下する。
【先行技術文献】
【特許文献】
【０００９】
【特許文献１】特開２０１０−９４４３８号公報
【特許文献２】特開２０１１−９２４７２号公報
【発明の概要】
【発明が解決しようとする課題】
【００１０】
上記構成の電気掃除機は蓋部が集塵容器に対して下方に開放するので、重力の作用により集塵容器と蓋部とを連結するヒンジ部に大きな衝撃が加わる可能性が高い。これにより、ヒンジ部を強固に構成する必要がある。したがって、上記従来の電気掃除機は衝撃に耐え得る比較的大きな構成のヒンジ部を形成し、ヒンジ部を締結部材であるネジで集塵容器の外周面に固定している。その結果、ヒンジ部自体が比較的大きくなるとともにネジによる固定のためのボス部も大きくなり、ヒンジ部の形成に係る材料が増加する問題があった。そして、ヒンジ部の大型化に伴って集塵装置も大型化する虞があった。
【００１１】
さらに、上記従来の電気掃除機は蓋部のロック解除ボタンがロック装置を構成する他の部材に対して独立して構成されているので、部品点数が増加してロック装置の形成に係る材料が増加する問題があった。そして、部品点数の増加によるロック装置の大型化に伴って集塵装置も大型化する虞があった。
【００１２】
本発明は、上記の点に鑑みなされたものであり、集塵装置の形成に係る材料の使用量の抑制と集塵装置の大型化の抑制とを図ることが可能な電気掃除機を提供することを目的とする。
【課題を解決するための手段】
【００１３】
一態様に係る電気掃除機は、本体部と、集塵容器と、蓋部と、突出部と、を備える。前記本体部は、電動送風機を内蔵する。前記集塵容器は、筒状に形成され、前記本体部に対して着脱自在である。前記蓋部は、前記集塵容器の一端側の開口面に対して開閉自在に設けられている。前記突出部は、前記集塵容器内に配置され、前記集塵容器の前記開口面から突出している。前記突出部は、前記蓋部が前記集塵容器の前記開口面を閉じている状態において、先端部が前記蓋部と接触する。
【発明の効果】
【００１４】
本発明の構成によれば、蓋部を集塵容器に対して開閉自在にするヒンジ部や蓋部を閉鎖状態に維持するためのロック部の形成に係る材料の使用量が抑制され、ヒンジ部やロック部の大型化も抑制される。したがって、集塵装置の形成に係る材料の使用量の抑制と集塵装置の大型化の抑制とを図ることが可能な電気掃除機を提供することができる。
【図面の簡単な説明】
【００１５】
【図１】本発明の実施形態に係る電気掃除機の斜視図である。
【図２】図１に示す電気掃除機の本体部の垂直断面側面図である。
【図３】図１に示す電気掃除機の集塵装置の垂直断面側面図である。
【図４】図３に示す集塵容器の側面図にして、蓋部のヒンジ部側から見た状態を示すものである。
【図５】図３に示す集塵容器の蓋部及びヒンジ部周辺の構成要素を分解した状態を示す斜視図である。
【図６】図５に示すヒンジ部の保持部材の斜視図である。
【図７】図３に示す集塵容器の側面図にして、蓋部を開放した状態を示すものである。
【図８】図７に示す蓋部を開放した集塵容器の斜視図である。
【図９】図３に示す集塵容器の側面図にして、蓋部のロック部側から見た状態を示すものである。
【図１０】図３に示す集塵容器のロック部周辺の構成要素を分解した状態を示す斜視図である。
【図１１】図９と同様の集塵容器の側面図にして、ロック部のカバー部材を取り外した状態を示すものである。
【発明を実施するための形態】
【００１６】
以下、本発明の実施形態に係る電気掃除機を図１〜図１１に基づき説明する。
【００１７】
最初に、本発明の実施形態に係る電気掃除機について、図１及び図２を用いてその構造の概略を説明しつつ集塵動作を説明する。図１は電気掃除機の斜視図、図２は電気掃除機の本体部の垂直断面側面図である。
【００１８】
電気掃除機１は、図１に示すように本体部２、接続ホース３、延長パイプ４及び吸込口体５を備えている。
【００１９】
本体部２は、図２に示すようにその前部にサイクロン式の集塵装置２０を内蔵し、後部に電動送風機６を内蔵している。さらに、本体部２は商用電源のコンセントから電力供給を受けるために、図１に示すように引き出し及び収納が可能な電源コード７とその先端の電源プラグ８とを備えている。
【００２０】
接続ホース３は可撓性の部材であり、本体部２の最前部に接続されるとともに内部が集塵装置２０に連通している。接続ホース３の先端には延長パイプ４が接続されている。延長パイプ４の先端には床面に対向する吸込口（不図示）を有した吸込口体５が設けられている。
【００２１】
また、延長パイプ４にはパイプ把持部９及び操作部１０が設けられている。使用者がパイプ把持部９を把持して吸込口体５を移動し、操作部１０を操作することにより電気掃除機１による掃除運転が実行される。
【００２２】
続いて、本体部２及び集塵装置２０の構成について、図２に加えて図３を用いてさらに詳しく説明する。図３は集塵装置２０の垂直断面側面図である。
【００２３】
本体部２は、図２に示すように本体カバー１１により覆われ、本体部２の後部に電動送風機６が配置されている。本体カバー１１の前面には接続ホース３（図１参照）を接続する接続口１１ａが開口し、背面には排気口１１ｂが開口している。電動送風機６の前方にはサイクロン式の集塵装置２０が配置されている。集塵装置２０の集塵容器２２は透明樹脂からなり、集塵容器２２内を視認できる窓部１１ｃが本体カバー１１に設けられている。集塵装置２０と電動送風機６とはダクト１２によって連結されている。
【００２４】
集塵装置２０の上部には、本体カバー１１に連続して本体部２の外装を形成するカバー部２１が設けられている。カバー部２１の上面には使用者が把持する把持部２１ａが設けられている（図３参照）。把持部２１ａを把持して持ち上げることにより、集塵装置２０は本体部２に対して着脱自在になっている。
【００２５】
集塵装置２０は、図３に示すようにカバー部２１、集塵容器２２、フィルター保持部２３、除塵部２４、内筒３０、仕切部材４０及び蓋部５０を備えている。
【００２６】
集塵容器２２は透明樹脂からなり、集塵装置２０の下部に配置されている。集塵容器２２は上面に上部開口面２２ａを有し、底面に底部開口面２２ｂを有する断面円形の筒状に形成されている。集塵容器２２の前部の周面にはその周接線方向に延びる形で形成された流入口２２ｃが設けられている。流入口２２ｃは接続口１１ａに連通して接続ホース３（図１参照）からの気流が流入する。集塵容器２２には流入口２２ｃを介して周接線方向に気流が流入し、集塵容器２２内に旋回気流が形成される。これにより、サイクロン式の集塵装置２０が形成され、気流に含まれる塵埃を遠心力により分離、脱落させて捕集する。
【００２７】
フィルター保持部２３は集塵装置２０の上部であって、集塵容器２２の上方に配置されている。フィルター保持部２３はプリーツフィルタ等により形成されたフィルター２３ａを保持している。フィルター２３ａは平面視円形をなして集塵容器２２と同軸に配置されている。フィルター保持部２３の上面は全体がカバー部２１によって覆われ、カバー部２１の後部に設けられた集塵装置排気口２１ｂに連通している。なお、集塵装置排気口２１ｂは集塵装置２０と電動送風機６との間に設けられたダクト１２に連通し、除塵装置２０で塵埃を除去した気流が流出する。
【００２８】
除塵部２４はフィルター保持部２３の上面の箇所に設けられ、加振部２４ａを備えている。加振部２４ａはフィルター２３ａの上方に配置され、フィルター２３ａと同軸をなす軸線中心に回転自在である。加振部２４ａはモータ或いは手動によりフィルター２３ａの周方向に沿って回転移動しながらフィルター２３ａのプリーツの頂部に当接する。除塵部２４は加振部２４ａを回転させることにより加振部２４ａがフィルター２３ａの頂部を順次はじいてフィルター２３ａを振動させ、その表面に付着した塵埃を落として除去する。
【００２９】
内筒３０はフィルター保持部２３の下面から下方の集塵容器２２内に向かって突出する形で設けられている。内筒３０は集塵容器２２と同軸に配置され、周面に集塵容器２２内の気流の流出口３１が開口されている。集塵容器２２内で旋回する気流は流出口３１を通って集塵容器２２の外へと流出してフィルター２３ａの箇所へと至る。
【００３０】
仕切部材４０は集塵容器２２の内面との間に気流路を形成して集塵容器２２内を上下に仕切るために内筒３０の下方に取り付けられている。仕切部材４０は円板部４１、筒状部４２及び突出部４３を備えている。円板部４１は内筒３０の下端から径方向外側に向かって延びる円板状に形成されている。筒状部４２は円板部４１の周縁から上方に向かって延びる筒状に形成されている。突出部４３は内筒３０に連通して円板部４１の下面から下方に突出し、集塵容器２２下方の蓋部５０の内底面に向かって延びている。
【００３１】
蓋部５０は集塵容器２２の底部開口面２２ｂの箇所に備えられている。蓋部５０は集塵容器２２の底部開口面２２ｂに対して開閉自在に設けられている。集塵装置２０から集塵容器２２を取り外し、蓋部５０を開放することにより集塵容器２２に堆積した塵埃を廃棄することができる。
【００３２】
このような構成の電気掃除機１において、操作部１０のスイッチ操作により電動送風機６を駆動すると塵埃を含んだ空気が吸込口体５から吸い込まれる。吸込口体５から吸い込まれた空気は延長パイプ４及び接続ホース３を経由し、流入口２２ｃを通って集塵装置２０及び集塵容器２２に流入する。このとき、空気と一緒に吸い込まれた塵埃が旋回の遠心力によって空気流から分離され、集塵容器２２内に捕集される。
【００３３】
集塵容器２２内に導かれた空気は流出口３１から流出し、内筒３０の内部を経てフィルター保持部２３を通過する。このとき、集塵容器２２で分離されなかった比較的細かい塵埃がフィルター保持部２３の空気流通方向上流側（下側）の面で捕集され、集塵容器２２に落下、或いはフィルター保持部２３表面に付着する。フィルター保持部２３を通過した空気は集塵装置排気口２１ｂを通って集塵装置２０から流出する。集塵装置２０から流出した空気はダクト１２を経由して電動送風機６を通り、排気口１１ｂを介して電気掃除機１の外部に排出される。
【００３４】
続いて、集塵容器２２及び蓋部５０の詳細な構成について、図３に加えて図４〜図１１を用いて説明する。図４は集塵容器の側面図にして、蓋部のヒンジ部側から見た状態を示すもの、図５は集塵容器の蓋部及びヒンジ部周辺の構成要素を分解した状態を示す斜視図、図６はヒンジ部の保持部材の斜視図、図７は集塵容器の側面図にして、蓋部を開放した状態を示すもの、図８は蓋部を開放した集塵容器の斜視図、図９は集塵容器の側面図にして、蓋部のロック部側から見た状態を示すもの、図１０は集塵容器のロック部周辺の構成要素を分解した状態を示す斜視図、図１１は図９と同様の集塵容器の側面図にして、ロック部のカバー部材を取り外した状態を示すものである。
【００３５】
蓋部５０は、図３〜図５に示すように比較的浅いカップ形状をなしている。蓋部５０はその上縁部が集塵容器２２の底部開口面２２ｂの下縁部に当接して底部開口面２２ｂを閉鎖する。なお、蓋部５０の上縁部が当接する底部開口面２２ｂの下縁部の箇所には密封性を高めるためのパッキン２２ｄが取り付けられている。
【００３６】
蓋部５０はその内底面中央部に平面視円形をなす嵌合部５１を備えている。嵌合部５１は蓋部５０を集塵容器２２の底部開口面２２ｂに対して閉鎖したときに仕切部材４０の突出部４３の下端部内側に嵌合する。嵌合部５１の周囲には突出部４３の下端部内面に密着するパッキン５２が設けられている。これにより、突出部４３の下端から仕切部材４０や内筒３０の内側に気流が流入したり、仕切部材４０や内筒３０の内部に捕集された塵埃が外側に漏洩したりすることが妨げられる。
【００３７】
そして、図４〜図６に示すように、集塵容器２２と蓋部５０とを連結するためにヒンジ部６０が設けられている。ヒンジ部６０は集塵容器２２の流入口２２ｃが設けられた側の下部外周面の１箇所に設けられている。ヒンジ部６０は蓋部支持片６１、軸部６２、保持部材６３、ネジ部６４及び係止部６５を備えている。
【００３８】
蓋部支持片６１は蓋部５０の外周面及びその上方にかけての箇所に蓋部５０と一体として設けられている。蓋部支持片６１は蓋部５０の外周部分から上縁部を超え、集塵容器２２の下部外周面に沿って上方に向かって延びている。
【００３９】
軸部６２は蓋部支持片６１の上端部に設けられている。軸部６２は蓋部５０の上縁部及び集塵容器２２の底部開口面２２ｂの下縁部を含む平面と平行をなすように蓋部支持片６１の上端部から側方に向かって延びている。軸部６２は軸線を一致させながら蓋部支持片６１に対して反対方向を向くように２本設けられている。そして、蓋部５０は、図７及び図８に示すように軸部６２を回転中心にして、集塵容器２２の底部開口面２２ｂに対して開閉する。
【００４０】
保持部材６３は集塵容器２２の下部外周面に取り付けられている。保持部材６３は蓋部５０の開閉とともに変位する蓋部支持片６１を収容するための凹部をその下部に備えている。保持部材６３は軸部６２を保持するために円形孔として形成された軸受６３ａを備えている。そして、保持部材６３はネジ部６４と係止部６５とを用いて集塵容器２２の下部外周面に取り付けられている。
【００４１】
ネジ部６４は蓋部５０に対して保持部材６３の軸部６２の箇所より遠い側、すなわち軸部６２の上側に設けられている。ネジ部６４は締結部材であるネジ６４ａ、ネジ穴６４ｂ及びボス部６４ｃを備えている。ネジ穴６４ｂは、図６に示すようにネジ６４ａの頭部が側方に出っ張らないようにするために保持部材６３に設けられている。ボス部６４ｃは、図５に示すように集塵容器２２の下部外周面において外側に突出する向きで設けられている。
【００４２】
このような構成のネジ部６４において、ネジ６４ａは保持部材６３に設けたネジ穴６４ｂを介して集塵容器２２のボス部６４ｃに締め付けられる。ネジ部６４により保持部材６３の上側が集塵容器２２に固定される。
【００４３】
係止部６５は蓋部５０に対して保持部材６３の軸部６２の箇所より近い側、すなわち軸部６２の下側であって、保持部材６３の底面の箇所に設けられている。係止部６５は爪部６５ａ及び係止孔６５ｂを備えている。爪部６５ａは、図６に示すように保持部材６３の底面から下方に向かって突出する形状で構成され、保持部材６３の底面の２箇所に設けられている。係止孔６５ｂは、図５に示すように集塵容器２２の下部外周面において外側に突出する向きで設けられた係止片６５ｃを上下方向に貫通するように構成され、爪部６５ａに対応する２箇所に設けられている。
【００４４】
このような構成の係止部６５において、保持部材６３の爪部６５ａを集塵容器２２の係止孔６５ｂに上方から挿入することにより保持部材６３と集塵容器２２とが係合する。係止部６５により保持部材６３の下側が集塵容器２２に固定される。なお、保持部材６３を集塵容器２２に取り付ける際、係止部６５により保持部材６３の下側を集塵容器２２に固定した後にネジ部６４により保持部材６３の上側を集塵容器２２に固定する。
【００４５】
一方、図３及び７に示すように、集塵容器２２の外周面におけるヒンジ部６０の反対側の箇所にはロック部７０が設けられている。ロック部７０は蓋部５０のヒンジ部６０が設けられた箇所の反対側の箇所に設けられた係合片５３と係合または係合解除することにより、閉鎖状態にある蓋部５０をロックまたはロック解除する。ロック部７０は、図９〜図１１に示すようにカバー部材７１、ロックスライダ７２、ロック解除レバー７３及びロック解除ボタン７４を備えている。
【００４６】
カバー部材７１は蓋部５０の外周面及び集塵容器２２の外周面にかけて対応する箇所に配置されている。カバー部材７１はロックスライダ７２及びロック解除レバー７３を内包してそれらが外側に逸脱しないように３箇所のネジ部７５で集塵容器２２の外周面に固定されている。また、カバー部材７１はロック解除レバー７３の一部を外部に露出させる窓部７１ａを備えている。なお、３箇所のネジ部７５のうち２箇所は底部開口面２２ｂ及び蓋部５０の近傍に配置されている。
【００４７】
ロックスライダ７２はカバー部材７１の内部において底部開口面２２ｂ及び蓋部５０の近傍に配置されている。ロックスライダ７２はカバー部材７１にガイドされて集塵容器２２の周方向（図１１の矢印Ｘ方向）に沿ってスライド移動が可能になっている。また、ロックスライダ７２は、図１０に示すように底部開口面２２ｂ及び蓋部５０の近傍に配置された２箇所のネジ部７５が貫通する２箇所の長穴７２ａを備えている。長穴７２ａの長手方向は底部開口面２２ｂの下縁部を含む平面と平行をなしている。これより、ロックスライダ７２は長穴７２ａの長手方向の範囲内において集塵容器２２の周方向に沿ってスライド移動が可能になっている。
【００４８】
ロックスライダ７２は閉鎖状態にある蓋部５０の係合片５３と係合する係合部（図示せず）を備えている。係合部はロックスライダ７２の集塵容器２２との対向面であって、蓋部５０の係合片５３に対応する箇所に設けられている。ロックスライダ７２を集塵容器２２の周方向に沿ってスライド移動させることにより、係合部は係合片５３との係合状態になったり、係合解除状態になったりする。そして、ロックスライダ７２は図示しないバネの作用により係合部が係合片５３との係合を維持する方向に付勢されている。
【００４９】
ロックスライダ７２は閉鎖状態にある蓋部５０を開閉させるときにロック解除レバー７３と係合するカムフォロア７２ｂを備えている。カムフォロア７２ｂはロックスライダ７２の上部であって、ロック解除レバー７３に対応する箇所に設けられている。
【００５０】
また、ロックスライダ７２は閉鎖状態にある蓋部５０を開閉させるときに蓋部５０の係合片５３の近傍に設けられた突起部５４に当接する傾斜部７２ｃを備えている。傾斜部７２ｃはロックスライダ７２の下部であって、突起部５４に対応する箇所に設けられている。傾斜部７２ｃには集塵容器２２の周方向に対して傾斜をなす斜面が形成されている。
【００５１】
ロック解除レバー７３はロックスライダ７２の上部に対応する箇所から上方に向かって延びる形状で構成されている。ロック解除レバー７３はカバー部材７１にガイドされて集塵容器２２の軸線方向に沿って上下方向（図１１の矢印Ｙ方向）にスライド移動が可能になっている。そして、ロック解除レバー７３はその下端にロックスライダ７２のカムフォロア７２ｂと係合するカム部７３ａを備えている。
【００５２】
ロック解除ボタン７４はロック解除レバー７３の上部にロック解除レバー７３と一体として設けられている。ロック解除ボタン７４はロックスライダ７２の蓋部５０との係合を解除する方向、すなわち上方に向かってロック解除レバー７３を変位させるために備えられている。ロック解除ボタン７４の箇所を含むロック解除レバー７３の一部は窓部７１ａからカバー部材７１の外部に露出している。これにより、カバー部材７１の窓部７１ａにおいてロック解除ボタン７４を操作することができる。
【００５３】
そして、蓋部５０が閉鎖されている状態でロック解除ボタン７４を上方に押すと、ロック解除レバー７３が上方に変位する。続いて、ロック解除レバー７３のカム部７３ａがこれに係合するロックスライダ７２のカムフォロア７２ｂを押す。それにより、ロックスライダ７２がバネによる付勢力に抗して集塵容器２２の周方向にスライド移動し、係合部と蓋部５０の係合片５３との係合が解除される。その結果、図７及び図８に示すように蓋部５０が開放状態となる。
【００５４】
なお、ロックスライダ７２が集塵容器２２の周方向にスライド移動するとき、係合部と蓋部５０の係合片５３との係合が解除された状態で、蓋部５０の突起部５４に傾斜部７２ｃが当接する。ロックスライダ７２は傾斜部７２ｃが有する斜面の作用により、この斜面に当接した突起部５４を押し下げ、蓋部５０を開放させる。これにより、仕切部材４０の突出部４３の下端部内面に密着する蓋部５０のパッキン５２が突出部４３に引っ掛かり、蓋部５０を開放できなくなることを防止している。そして、パッキン５２と突出部４３との密着性が向上したとしても容易に蓋部５０を開放することが可能である。
【００５５】
上記のように、電気掃除機１は集塵容器２２の底部開口面２２ｂに対して開閉自在に蓋部５０を設けるためのヒンジ部６０の保持部材６３がネジ部６４と係止部６５とを用いて集塵容器２２の外周面に取り付けられるので、ネジ６４ａなどの締結部材の使用数が低減する。したがって、ヒンジ部６０自体が比較的小さくなるとともにネジによる固定のためのボス部も減少する。すなわち、ヒンジ部６０の形成に係る材料の使用量を抑制することができる。
【００５６】
また、電気掃除機１はヒンジ部６０の係止部６５が蓋部５０に対して保持部材６３の軸部６２より近い側に設けられているので、蓋部５０に対して保持部材６３の軸部６２より近い側の箇所においてネジ６４ａなどの締結部材を使用しなくて済む。これにより、特に蓋部５０に対して保持部材６３の軸部６２より近い側の箇所の形状が比較的小さくなるとともにボス部も存在しなくなる。さらに、この構成によれば、蓋部５０の外底面から軸部６２までの蓋部支持片６１の長さが比較的短くなる。したがって、蓋部５０を開放したときの集塵容器２２の径方向外側に広がる占有領域が比較的狭くなる。その結果、ゴミ箱の口が比較的小さい場合であっても捕集した塵埃を外にこぼすことなく廃棄することが可能である。
【００５７】
また、電気掃除機１は蓋部５０の閉鎖状態を維持するためのロックスライダ７２の蓋部５０との係合を解除するためにロックスライダ７２と係合するロック解除レバー７３を備え、このロック解除レバー７３にロック解除レバー７３を変位させるためのロック解除ボタン７４が一体として設けられている。これにより、部品点数が減少してそれらの部材を擁するロック部７０の形成に係る材料の使用量を抑制することができる。
【００５８】
そして、本発明の上記実施形態の構成によれば、蓋部５０を集塵容器２２に対して開閉自在にするヒンジ部６０や蓋部５０を閉鎖状態に維持するためのロック部７０の形成に係る材料の使用量が抑制され、ヒンジ部６０やロック部７０の大型化も抑制される。したがって、集塵装置２０の形成に係る材料の使用量の抑制と集塵装置２０の大型化の抑制とを図ることが可能な電気掃除機１を提供することができる。
【００５９】
以上、本発明の実施形態につき説明したが、本発明の範囲はこれに限定されるものではなく、発明の主旨を逸脱しない範囲で種々の変更を加えて実施することができる。
【００６０】
例えば、電気掃除機１は電動送風機６を内蔵した本体部２に吸込口体５が接続ホース３を介して接続された所謂キャニスター型であるが、本体部２に吸込口体５を一体に設けた縦型の電気掃除機であっても良い。
【００６１】
〔付記事項〕
本発明の一態様は、底面に開口面を有する断面円形の筒状に形成されるとともに電動送風機を内蔵した本体部に対して着脱自在な集塵容器と、前記集塵容器の前記開口面に対して開閉自在に設けられた蓋部と、を備えた電気掃除機において、前記集塵容器と前記蓋部とを連結するために前記集塵容器の外周面に設けられたヒンジ部と、前記ヒンジ部に設けられて開閉する前記蓋部の回転中心となる軸部と、前記軸部を保持するために前記集塵容器の外周面に取り付けられた保持部材と、をえ、前記保持部材が締結部材と、前記保持部材と前記集塵容器とに設けられた爪部及びその係止孔からなる係止部と、を用いて前記集塵容器の外周面に取り付けられることを特徴としている。
【００６２】
また、上記構成の電気掃除機において、前記締結部材が前記蓋部に対して前記保持部材の前記軸部より遠い側に設けられ、前記係止部が前記蓋部に対して前記保持部材の前記軸部より近い側に設けられていることを特徴としている。
【００６３】
この構成によれば、蓋部に対して保持部材の軸部より近い側の箇所においてネジなどの締結部材を使用しなくて済む。これにより、特に蓋部に対して保持部材の軸部より近い側の箇所の形状が比較的小さくなるとともにボス部も存在しなくなる。
【００６４】
また、上記構成の電気掃除機において、前記蓋部を前記集塵容器の前記開口面に対して閉鎖状態に維持するために前記蓋部と係合するロックスライダと、前記ロックスライダの前記蓋部との係合を解除するために前記ロックスライダと係合するロック解除レバーと、前記ロックスライダの前記蓋部との係合を解除する方向に前記ロック解除レバーを変位させるために前記ロック解除レバーに一体として設けられたロック解除ボタンと、を備えることを特徴としている。
【００６５】
この構成によれば、ロック解除ボタンがロック解除レバーに一体として設けられているので、部品点数が減少してそれらの部材を擁する蓋部のロック部の形成に係る材料の使用量が抑制される。
【００６６】
本発明の一態様は、底面に開口面を有する断面円形の筒状に形成されるとともに電動送風機を内蔵した本体部に対して着脱自在な集塵容器と、前記集塵容器の前記開口面に対して開閉自在に設けられた蓋部と、前記集塵容器の外周面に前記集塵容器と前記蓋部とを連結する保持部材を備えた電気掃除機において、前記集塵容器は、前記集塵容器の外周面にて前記保持部材と係止する係止部と、前記保持部材をネジで固定するための締結部と、を有し、前記係止部は、前記締結部よりも前記蓋部に近い側に設けられ、前記保持部材は、前記係止部と前記締結部とを用いて前記集塵容器の外周面に取り付けられ、前記蓋部を前記集塵容器の前記開口面に対して閉鎖状態に維持するために前記蓋部と係合する係合部と、蓋部との係合状態を解除するロック解除ボタンと、を備え、前記ロック解除ボタンを操作すると、前記係合部は前記蓋部との係合を解除する方向に変位し係合が解除された状態で、蓋部が押し下げられ下方に開放されることを特徴としている。
【００６７】
この構成によれば、電気掃除機は集塵容器に対して開閉自在に蓋部を設けるための保持部材が係止部を用いて集塵容器に取り付けられるので、ネジなどの締結部材の使用数が低減する。したがって、ヒンジ部自体が比較的小さくなるとともにネジによる固定のためのボス部も減少する。すなわち、ヒンジ部の形成に係る材料の使用量が抑制される。
【産業上の利用可能性】
【００６８】
本発明は、捕集した塵埃を廃棄するための蓋部を有する集塵容器を備えた電気掃除機において利用可能である。
【符号の説明】
【００６９】
１    電気掃除機
２    本体部
３    接続ホース
４    延長パイプ
５    吸込口体
６    電動送風機
１０    操作部
１１    本体カバー
１１ｂ    排気口
１２    ダクト
２０    集塵装置
２２    集塵容器
２２ｂ    底部開口面（開口面）
２２ｃ    流入口
５０    蓋部
６０    ヒンジ部
６１    蓋部支持片
６２    軸部
６３    保持部材
６４    ネジ部
６４ａ    ネジ（締結部材）
６５    係止部
６５ａ    爪部
６５ｂ    係止孔
７０    ロック部
７２    ロックスライダ
７３    ロック解除レバー
７４    ロック解除ボタン
【図１】
2020032244.tif 000003
【図２】
2020032244.tif 000004
【図３】
2020032244.tif 000005
【図４】
2020032244.tif 000006
【図５】
2020032244.tif 000007
【図６】
2020032244.tif 000008
【図７】
2020032244.tif 000009
【図８】
2020032244.tif 000010
【図９】
2020032244.tif 000011
【図１０】
2020032244.tif 000012
【図１１】
2020032244.tif 000013